(57)【要約】【課題】既設の入出力装置と新設の入出力装置とを取り替える際に設備停止を必要としない主幹制御装置の更新方法提供する。【解決手段】入出力装置を具備したシーケンサおよび／またはＰＬＣを新しいシーケンサおよび／またはＰＬＣに更新する際に、既設のシーケンサおよび／またはＰＬＣの入出力装置と新設のシーケンサおよび／またＰＬＣと通信で接続可能な制御装置５を設置し、この制御装置５で前記入出力装置からの入力信号を新設・既設の両制御装置に振り分け、前記入出力装置への出力信号を既設の制御装置からと新設の制御装置からとソフトプログラムにより切替える。【選択図】　図２
2004133783.tif 000002
【特許請求の範囲】
【請求項１】
入出力装置を具備したシーケンサおよび／またはＰＬＣを新しいシーケンサおよび／またはＰＬＣに更新する際に、既設のシーケンサおよび／またはＰＬＣの入出力装置と新設のシーケンサおよび／またはＰＬＣと通信で接続可能な制御装置を設置し、該制御装置で前記入出力装置からの入力信号を新設・既設の両制御装置に振り分け、前記入出力装置への出力信号を既設の制御装置からと新設の制御装置からとソフトプログラムにより切替えることを特徴とする主幹制御装置の更新方法。
【発明の詳細な説明】
【０００１】
【発明の属する技術分野】
本発明は、製鉄所やセメント輸送設備などの設備停止時間が取れない原料輸送設備での制御装置の更新に関する。
【０００２】
【従来の技術】
従来の更新方法は、既設の制御装置で操業を維持しながら、定修などの短時間の設備停止を利用して、新設の主幹制御装置での試運転を行っていた。新設の主幹制御装置で試運転を行う場合、流用する既設の入出力装置を新設の主幹制御装置に接続して、試運転を行っていた。
定修時間が終了し既設の制御装置で操業する場合は、入出力装置を既設の制御装置に接続を戻して、操業を行っていた。２４時間連続運転する設備では、切替え試運転を行う為の設備停止時間がなかなかとれず、この新・既設の切替を数回から数十回繰り返して試運転を行っていた。
【０００３】
また、これを解消すべく、既設運転監視計算機システムから新設運転監視計算機システムへの更新を安定にかつ更新作業期間を短縮できるプラント運転監視計算機システムとしては、複数台のコントローラのうち停止している一台のコントローラを二重化された新設通信制御装置の一方に接続して新設運転監視計算機の制御管理下におき、当該コントローラによってプラント機器を駆動する試運転を行いプラントデータを新設運転監視計算機に伝送し、当該コントローラは試運転終了後に既設通信制御装置の一方に接続され既設運転監視計算機の制御管理下におくようにするものもあった（例えば、特許文献１参照）。
【０００４】
【特許文献１】
特開２００１−３３７７１５号公報
【０００５】
【発明が解決しようとする課題】
従来の技術では、新設の主幹制御装置で試運転する場合に入出力装置を既設の主幹制御装置から新設の主幹制御装置に接続するために設備停止を必要としていた。２４時間連続運転する設備では、設備停止時間がなかなかとれず更新期間が長くなるという問題があった。
通常の定修時間だけでは、設備停止時間が不足する場合は、更新の為の設備停止を確保していた。この為生産量の減産を余儀なくされるという問題があった。
設備停止と設備停止の間隔は、短くても３日ないし４日、長い場合は１ヶ月から数ヶ月となりこの期間は、この試運転に拘束されるため、試運転費用がかさむという問題があった。
また、とぎれとぎれの試運転のため効率が非常に悪いという問題があった。
また、特許文献１記載の発明は、更新作業期間を短縮できるものの、新設通信制御装置を二重化する必要があり、装置が複雑化し、高価となった。
そこで、本発明は、新設の主幹制御装置で試運転する場合に入出力装置を既設の主幹制御装置から新設の主幹制御装置に接続するとき設備を停止しなくてよい、したがって生産量の減産の心配のない、試運転費用がかさまない、試運転効率の良、しかも装置が複雑化しなくてコストのかからない主幹制御装置の更新方法を提供することを目的としている。
【０００６】
【課題を解決するための手段】
既設のシーケンサ、ＰＬＣの入出力装置と新設のシーケンサ、ＰＬＣと通信で接続可能な制御装置（以降、入出力信号分配・切替装置と記す）を設置する。その入出力信号分配・切替装置に入出力装置からの入力信号を新設・既設２つの制御装置に振り分けるプログラムを準備する。またその入出力信号分配・切替装置に入出力装置への出力信号を既設の制御装置からと新設の制御装置からとソフトプログラムにより切替える機能を準備する。
以上の構成により、入出力信号分配・切替装置には入力信号分配機能と出力信号切替え機能をもたせており、機器の運転中信号、故障信号などの入力信号は既設の主幹制御装置と新設の主幹制御装置に分配される。
入力信号は既設の主幹制御装置と新設の主幹制御装置に分配されるために、入出力信号分配・切替装置が設置されたあとは、既設の主幹制御装置で操業を行っている場合でも、新設の主幹制御装置と操作監視装置で表示機能の確認が可能である。従来は設備停止期間中でしか出来なかった表示機能の確認が操業中に可能となった。
運転指令などの出力信号は既設の主幹制御装置からの信号と新設の主幹制御装置からの信号をソフトＳＷにより切替えを行う。出力信号の確認を行う場合は、既設側の指令と新設側の指令を入出力信号分配・切替装置内部のソフトＳＷにより切替えを行うために短時間で、既設・新設の切替えが可能である。また操作監視装置に単独運転機能を持たせておき、機器１台毎に切替えＳＷを準備することで、操業を行っていても停止している機器単体の運転確認を行うことが可能である。
【０００７】
【発明の実施の形態】
以下、本発明の実施の形態について図面を用いて詳細に説明する。
図１は既設の制御システムを示している。図において、１は既設の主幹制御装置、２は入出力装置、３は既設の表示装置、４は既設の操作デスクである。
入出力装置２で入力された運転中信号は、既設の主幹制御装置１で制御に使用され、既設の表示装置３に表示される。
既設の操作デスク４の操作信号は、既設の主幹制御装置１で処理され、入出力装置２を通して操作端に運転指令を出力する。
【０００８】
このような既設の制御システムで既設の主幹制御装置１、既設の表示装置３、既設の操作デスク４を新設しい制御装置に更新し、入出力装置２は引き続き流用する場合の主幹制御装置の本発明による更新方法について説明する。
図２は入出力信号分配・切替装置を入れたシステム構成を示している。
入出力信号分配・切替装置５を設置し、既設の主幹制御装置１に接続されていた入出力装置２を、既設の主幹制御装置１と切り離し、入出力信号分配・切替装置５に接続する。
入出力信号分配・切替装置５は既設の主幹制御装置１と新設の主幹制御装置６の両方と通信で接続する。
入出力信号分配・切替装置５には、入力信号分配機能と出力信号切替え機能を持たせている。
この入力信号分配機能は、入出力装置２から入力された信号を既設の主幹制御装置１と新設の主幹制御装置６の両方に渡す機能である。
また、出力信号切替え機能は、既設の主幹制御装置１からの出力指令と新設の主幹制御装置６からの出力指令をソフトＳＷにより切替えを行う機能である。
図３は最終的な新設の制御システムを示している。
図において、６は新設の主幹制御装置、７は新設の操作監視装置、２は入出力装置２である。更新途中の制御システムは、図２のように、既設の主幹制御装置１、入出力装置２、既設の表示装置３、既設の操作デスク４、入出力信号分配・切替装置５、新設の主幹制御装置６、新設の操作監視装置７で構成される。
入出力信号分配・切替装置５には入力信号分配機能と出力信号切替え機能をもたせており、機器の運転中信号、故障信号などの入力信号は既設の主幹制御装置と新設の主幹制御装置に分配される。入力信号は既設の主幹制御装置と新設の主幹制御装置に分配されるために、入出力信号分配・切替装置が設置されたあとは、既設の主幹制御装置で操業を行っている場合でも、新設の主幹制御装置と操作監視装置で表示機能の確認が可能である。従来は設備停止期間中でしか出来なかった表示機能の確認が操業中に可能となる。
また、運転指令などの出力信号は既設の主幹制御装置からの信号と新設の主幹制御装置からの信号をソフトＳＷにより切替えを行う。ソフトＳＷで切替えを行うために、設備停止を必要としない。
入力信号は既設の主幹制御装置と新設の主幹制御装置に分配されるために、新設の主幹制御装置と操作監視装置で表示機能の確認が可能である。
操作機能の確認を行う場合は、既設側の指令と新設側の指令を入出力信号分配・切替装置内部のソフトＳＷにより切替えを行うために短時間で、既設・新設の切替えが可能である。
また、操作監視装置に単独運転機能を持たせておき、機器１台毎に切替えＳＷを準備することで、操業を行っていても停止している機器単体の運転確認を行うことが可能である。
【０００９】
【発明の効果】
以上のように、本発明によれば、入出力信号分配・切替装置には入力信号分配機能と出力信号切替え機能をもたせており、入力信号は既設の主幹制御装置と新設の主幹制御装置に分配され、出力信号は既設の主幹制御装置からの信号と新設の主幹制御装置からの信号をソフトＳＷにより切替えを行ない、ソフトＳＷで切替えを行うために、設備停止を必要としない。
また、入力信号は既設の主幹制御装置と新設の主幹制御装置に分配されるために、新設の主幹制御装置と操作監視装置で表示機能の確認が可能である。
操作機能の確認を行う場合は、既設側の指令と新設側の指令を入出力信号分配・切替装置内部のソフトＳＷにより切替えを行うために短時間で、既設・新設の切替えが可能である。
したがって、生産量の減産の心配がなく、試運転費用がかさまない、また試運転効率も良くなる。しかも装置が複雑化せず、低コストとなる。
【図面の簡単な説明】
【図１】既設の制御システムを示すブロック図である。
【図２】入出力信号分配・切替装置を入れたシステム構成を示すブロック図である。
【図３】更新後の最終的な新設の制御システムを示すブロック図である。
【符号の説明】
１．既設の主幹制御装置
２．入出力装置
３．既設の表示装置
４．既設の操作デスク
５．入出力信号分配・切替装置
６．新設の主幹制御装置
７．新設の操作監視装置
【図１】
2004133783.tif 000003
【図２】
2004133783.tif 000004
【図３】
2004133783.tif 000005